(57)【要約】  本発明は、少なくとも２本の極微針を含み、前記極微針の先端が所定間隔をおいて配置されている、患者に媒体を投与するための医療注射器具に関する。
2011500252.tif 000002
【特許請求の範囲】
【請求項１】
少なくとも２本の極微針を含み、前記極微針の先端が所定間隔をおいて設置されている、患者に媒体を投与するための医療注射器具。
【請求項２】
前記極微針は基板に連結されている、請求項１に記載の医療注射器具。
【請求項３】
前記極微針の先端は前記基板から離れる方向に配置されている、請求項２に記載の医療注射器具。
【請求項４】
前記極微針は同一のディスペンサに連結されている、請求項１から３のいずれか一に記載の医療注射器具。
【請求項５】
前記極微針は少なくとも二つのディスペンサに連結されている、請求項１から４のいずれか一に記載の医療注射器具。
【請求項６】
前記極微針の先端に孔が形成されている、請求項１から５のいずれか一に記載の医療注射器具。
【請求項７】
前記孔及び／又は前記極微針の先端は、注射時に患者の皮膚上の広い面を覆うように配向されている、１から６のいずれか一に記載の医療注射器具。
【請求項８】
少なくとも３本の極微針を含む、１から７のいずれか一に記載の医療注射器具。
【請求項９】
患者に医薬を投与するための請求項１から８のいずれか一に記載の医療注射器具の使用。
【請求項１０】
皮内注入のための請求項１から８のいずれか一に記載の医療注射器具の使用。
【請求項１１】
免疫のための請求項１から８のいずれか一に記載の医療注射器具の使用。
【発明の詳細な説明】
【技術分野】
【０００１】
本発明は特に皮内注入用の医療注射器具に関する。
【背景技術】
【０００２】
皮内注入は、患者に投与される注射であり、その目的は注射器の内容物が皮膚層間に吸収されて空にすることである。かかる皮内注入は、しばしば、皮膚アレルギーテストを実施しかつ抗体形成を試験するために使用される。
【０００３】
これは一種の有痛治療でありかつ通常は小量の溶液が使用される。
【０００４】
針、又は極微針を使用する皮内注入は、通常、注入時に皮膚水泡を起こす。その理由は、真皮へ注射される物質の急速静注薬(bolus)が瞬時に吸収または拡散されないことによる。即座に吸収されない物質は、そのような水泡になる。
【０００５】
そこで仮に注入方法が迅速投与を可能にしても、かかる物質は非常にゆっくりと吸収され、従って拡散能力が時間を消耗しかつ決定要因となる。
【先行技術文献】
【特許文献】
【０００６】
【特許文献１】特記なし
【発明の概要】
【発明が解決しようとする課題】
【０００７】
そこで、本発明の課題は、迅速かつ苦痛の少ない注入治療を可能にする医療注射器具を提供することにある。
【課題を解決するための手段】
【０００８】
本発明の実施形態は、少なくとも２本の極微針を含み、且つ各極微針の先端(tips)が所定間隔をおいて設置された、患者に媒体を投与するための、特に皮内注入用の医療注射器具を提供する。
【０００９】
本発明による器具は、注射された媒体を比較的広範囲の領域にわたり、従って一つの針による注射に代わり、拡散能力を向上する。
【００１０】
更に、極微針が同一ディスペンサに連結される場合に有利である。かかの構成により、ディスペンサユニットは容易に構築できかつ組立が複雑でない。
【００１１】
にもかかわらず、本発明の他の実施形態において、少なくとも二つのディスペンサが使用される場合に同様に有利である。
【００１２】
本発明の他の好適実施形態によれば、極微針が基板(substrate)に連結される場合に、極微針の注入は単純化される。幾つかの針を同時に注入する代わりに、その基板を適用すればよい。この基板は、例えば、患者の皮膚に適用され得るチップ（chip)であってよい。
【００１３】
極微針が基板、例えば、一種のチップ、上に設置される場合、極微針の先端はその基板から離れる方向に設置される場合に更に有利である。このような配置は、注射された物資が可能な限りの大きい領域を覆うので注入物質の拡散能力を向上させる。
【００１４】
本発明による医療注射器具により、例えば、医薬を投与するために、極微針の先端内に孔が形成され得る。好適には、そのような孔及び／又は極微針先端は、注射時に患者の皮膚上の広い面を覆うように配向される。
【００１５】
幾つかの極微針を含むチップ又は基板を使用する場合に、極微針の配向及び／若しくは孔の配向は、全極微針及び／若しくは対応する孔若しくは先端が、チップから離れる方向に向かって「係止され」るか、又は何れかが所定方向に、そして他の何れかがその反対方向に可能な限り広い面を覆うように選択される。
【００１６】
かかる拡散能力の向上は、免疫治療に有利であり、樹枝細胞（Langerhans'cells)に到達する場合に、免疫反応が最も強力である。
【００１７】
本発明の好適実施形態により、極微針先端が患者の皮膚上の最大面を覆うように配向される場合に、拡散能力は更に向上する。
【００１８】
ワクチン、パッチ（patch)、患者に投与される液体量等の使途に応じて、針の数は変更される。異なる数量の極微針が選択可能である。例えば、３本及び５本の極微針が一線に、且つ／又は９本及び２５本の極微針が四辺形に配置されてよい。
【００１９】
当然ながら、本発明はこのような針の数量に限定されない。５０本、１００本、又はそれ以上の数の針が使用可能である。仮に、このような多数の針が選択され、基板又はチップが使用される場合には、基板又はチップの寸法は変更する必要がある。
【発明の効果】
【００２０】
医療注射器具が約３本の極微針を含む場合に良好結果が達成できる。針のこのような数量は、通常使用される極微針によって、合理的広範囲の注入及び注入物質の合理的拡散供給を可能にする。
【００２１】
上述したように、本発明による医療注射器具は、特に免疫プロセスに有利であり、好適には、樹枝細胞（Langerhans'cells)に到達し、結果的に強力な免疫反応が得られる。
【００２２】
本発明の上述、並びに他の特徴、側面及び利点は、添付図面を参照する続く詳細な説明から明らかであろう。
【図面の簡単な説明】
【００２３】
【図１ａ】本発明による医療注射器具の好適実施形態を示す。
【図１ｂ】本発明による医療注射器具の好適実施形態を異なる角度で示す。
【図２ａ】本発明による医療注射器具の他の好適実施形態を示す。
【図２ｂ】本発明による医療注射器具の他の好適実施形態を異なる角度で示す。
【発明を実施するための形態】
【００２４】
図１は、本発明による医療注射器具の好適実施形態を示す異なる図である。図１において、基板１上には３本の極微針２ａ，２ｂ，２ｃが設置されている。極微針２ａ，２ｂ，２ｃは、それぞれ、配向が図面上フラッシュ(flash)表示された孔３ａ，３ｂ，３ｃを具有する。図面から理解されるように、孔３ａ，３ｂ，３ｃ及び／又は極微針２ａ，２ｂ，２ｃは、各針がチップ１、即ち、基板１から離れる方向へ向かい且つ孔３ａ，３ｂ，３ｃがそれと反対の方向へ配向するように選択され、注入した媒体、例えば、薬が、少なくとも注入時に可能な限り広範囲面に及ぶようにされる。
【００２５】
図２ａ及び２ｂの実施形態についても同様であり、孔を有する９本の極微針４ａ，ｂ，ｃ，ｄ，ｅ，ｆ，ｇ，ｈ，ｉが基板１上に設置されている。針４ａ−ｉは、矩形または四辺形に配置されている。図２から理解されるように、それぞれの極微針４ａ−ｉの孔の配向はフラッシュで示され、媒体はそれぞれの方向へ投与又は配送されかつ従って可能な限り広い範囲の領域に投与又は配送される。
【符号の説明】
【００２６】
１    基板
２ａ，２ｂ，２ｃ    極微針
３ａ，３ｂ，３ｃ    孔
４ａ，４ｂ，４ｃ，４ｄ，４ｅ，４ｆ，４ｇ，４ｈ，４ｉ    極微針
【図１ａ】
2011500252.tif 000003
【図１ｂ】
2011500252.tif 000004
【図２ａ】
2011500252.tif 000005
【図２ｂ】
2011500252.tif 000006
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
基板に連結された少なくとも２本の極微針を含み、前記極微針の先端が孔を具有しかつ所定間隔をおいて前記基板から離れる方向に配置され、前記孔は広範囲を覆うように異なる方向に配向されている、患者に媒体を投与するための医療注射器具。
【請求項２】
前記極微針は同一のディスペンサに連結されている、請求項１に記載の医療注射器具。
【請求項３】
前記極微針は少なくとも二つのディスペンサに連結されている、請求項２に記載の医療注射器具。
【請求項４】
３本の前記極微針を含む、請求項１から３のいずれか一に記載の医療注射器具。
【国際調査報告】
2011500252.tif 000007
2011500252.tif 000008
2011500252.tif 000009